(57)【要約】【課題】高い段差を円滑に乗り越えることができ、かつ、段差の乗り越え時に生じる非印字領域を小さくすることができる記録ヘッド及びこの記録ヘッドを備えた記録装置を提供する。【解決手段】記録ヘッド１２は、この記録ヘッド１２と共に移動して記録用紙上を転動するガイドローラ３１に先だって、記録用紙に接触する接触部を有する用紙すくい３２が設けられる。【選択図】      図３
2004338155.tif 000002
【特許請求の範囲】
【請求項１】
記録用紙に画像を記録する記録ヘッドにおいて、
この記録ヘッドと共に移動して前記記録用紙上を転動するガイドローラと、
記録用紙の端部又は段部の高さが所定値以上の場合、前記ガイドローラに先立って、当該記録用紙に接触する接触部を有する用紙すくいとを備えることを特徴とする記録ヘッド。
【請求項２】
前記接触部の記録用紙側の面は、前記ガイドローラの径よりも大径の円弧に沿った面に形成されていることを特徴とする請求項１に記載の記録ヘッド。
【請求項３】
前記接触部の記録用紙側の面は、前記ガイドローラから前記記録ヘッドの移動方向に離れるに従って、前記ガイドローラの径よりも徐々に大きい径の円弧に沿った面に形成されていることを特徴とする請求項１に記載の記録ヘッド。
【請求項４】
前記用紙すくいは、前記ガイドローラの径よりも大径の円弧に沿って湾曲された略板形状に形成されていることを特徴とする請求項２又は３に記載の記録ヘッド。
【請求項５】
前記用紙すくいは、前記ガイドローラの一部を当該用紙すくいの記録用紙側の面よりも記録用紙側に突出させた位置に配置されていることを特徴とする請求項１乃至４のいずれかに記載の記録ヘッド。
【請求項６】
前記記録用紙は、通帳又は登記簿を含む印字領域内に段差を有する記録用紙であることを特徴とする請求項１乃至５のいずれかに記載の記録ヘッド。
【請求項７】
前記用紙すくいにおける接触部の記録用紙側の面が、端部又は段部の高さが所定値以上の記録用紙が直接ガイドローラと接触したと仮定した場合における、当該記録用紙とガイドローラとの接触位置と、記録用紙面との角度よりも小さい角度で、当該記録用紙に接触するように位置していることを特徴とする請求項１乃至６のいずれかに記載の記録ヘッド。
【請求項８】
プラテンに搬送された記録用紙に画像を記録する記録ヘッドを備える記録装置において、
前記記録ヘッドは、
この記録ヘッドと共に移動して前記記録用紙上を転動するガイドローラと、
記録用紙の端部又は段部の高さが所定値以上の場合、前記ガイドローラに先立って、当該記録用紙に接触する接触部を有する用紙すくいとを備えることを特徴とする記録装置。
【請求項９】
前記接触部の記録用紙側の面は、前記ガイドローラの径よりも大径の円弧に沿った面に形成されていることを特徴とする請求項８に記載の記録装置。
【請求項１０】
前記接触部の記録用紙側の面は、前記ガイドローラから前記記録ヘッドの移動方向に離れるに従って、前記ガイドローラの径よりも徐々に大きい径の円弧に沿った面に形成されていることを特徴とする請求項８に記載の記録装置。
【請求項１１】
前記用紙すくいは、前記ガイドローラの径よりも大径の円弧に沿って湾曲された略板形状に形成されていることを特徴とする請求項９又は１０に記載の記録装置。
【請求項１２】
前記用紙すくいは、前記ガイドローラの一部を当該用紙すくいの記録用紙側の面よりも記録用紙側に突出させた位置に配置されていることを特徴とする請求項８乃至１１のいずれかに記載の記録装置。
【請求項１３】
前記記録用紙は、通帳又は登記簿を含む印字領域内に段差を有する記録用紙であることを特徴とする請求項８乃至１２のいずれかに記載の記録装置。
【請求項１４】
前記用紙すくいにおける接触部の記録用紙側の面が、端部又は段部の高さが所定値以上の記録用紙が直接ガイドローラと接触したと仮定した場合における、当該記録用紙とガイドローラとの接触位置と、記録用紙面との角度よりも小さい角度で、当該記録用紙に接触するように位置していることを特徴とする請求項８乃至１３のいずれかに記載の記録装置。
【発明の詳細な説明】
【０００１】
【発明の属する技術分野】
本発明は、記録ヘッド及び記録装置に関する。
【０００２】
【従来の技術】
従来より、記録ヘッドから打ち出した記録ワイヤをインクリボンを介して打ち付けて通帳や登記簿などに文字等の画像を記録する記録装置が知られている。この種の記録装置は、記録対象とする記録用紙（例えば、通帳）が、中央に折り返し部分（いわゆるセンターホールド）を有する共に、一枚紙や連続紙に比してかなりの厚みを有するので、これら段差を記録ヘッドが乗り越えられるように、図８に示すように、記録ヘッド１の側方などにガイドローラ２などのローラが設けられている（例えば、特許文献１参照）。すなわち、記録ヘッド１は、このガイドローラ２によって記録用紙（通帳）Ｓとの間に一定のプラテンギャップＧを確保できるように構成されている。
【０００３】
【特許文献１】
特開平２−６２２７４号公報
【０００４】
【発明が解決しようとする課題】
ところで、ガイドローラ２は、上記段差との接触角度θが小さいほど段差を乗り越え易くなる。このため、高い段差を円滑に乗り越えるには、図９に示すように、ガイドローラ２の径を大きくして接触角度θを小さくする方法が考えられる。
【０００５】
しかしながら、ガイドローラ２の径を大きくすると、図８及び図９に示すように、同一の高さの段差Ｓ０に対して、段差Ｓ０の乗り越え時に記録ヘッド１が記録用紙Ｓから離れて記録ワイヤによる記録ができなくなってしまう領域（いわゆる非印字領域）ＡＲが大きくなってしまうという問題が生じる。
【０００６】
そこで、本発明の目的は、上述した従来の技術が有する課題を解消し、高い段差を円滑に乗り越えることができ、かつ、段差の乗り越え時に生じる非印字領域を小さくすることができる記録ヘッド及びこの記録ヘッドを備えた記録装置を提供することを目的としている。
【０００７】
【課題を解決するための手段】
上述課題を解決するため、請求項１に記載の発明は、記録用紙に画像を記録する記録ヘッドにおいて、この記録ヘッドと共に移動して前記記録用紙上を転動するガイドローラと、記録用紙の端部又は段部の高さが所定値以上の場合、前記ガイドローラに先立って、当該記録用紙に接触する接触部を有する用紙すくいとを備えることを特徴とする。
【０００８】
この構成によれば、端部又は段部の高さが所定値以上の記録用紙に記録する場合は、記録用紙がガイドローラに先立って用紙すくいに接触するので、高い段差を円滑に乗り越えることができ、また、端部又は段部の高さが所定値以下の記録用紙に記録する場合は、記録用紙が用紙すくいに接触せずにガイドローラだけに接触するので、高い段差を円滑に乗り越えることができ、かつ、非印字領域を小さくすることができる。
【０００９】
また、請求項２に記載の発明は、請求項１に記載の構成において、前記接触部の記録用紙側の面は、前記ガイドローラの径よりも大径の円弧に沿った面に形成されていることを特徴とする。
【００１０】
また、請求項３に記載の発明は、請求項１に記載の構成において、前記接触部の記録用紙側の面は、前記ガイドローラから前記記録ヘッドの移動方向に離れるに従って、前記ガイドローラの径よりも徐々に大きい径の円弧に沿った面に形成されていることを特徴とする。
【００１１】
また、請求項４に記載の発明は、請求項２又は３に記載の構成において、前記用紙すくいは、前記ガイドローラの径よりも大径の円弧に沿って湾曲された略板形状に形成されていることを特徴とする。
【００１２】
また、請求項５に記載の発明は、請求項１乃至４のいずれかに記載の構成において、前記用紙すくいは、前記ガイドローラの一部を当該用紙すくいの記録用紙側の面よりも記録用紙側に突出させた位置に配置されていることを特徴とする。
【００１３】
また、請求項６に記載の発明は、請求項１乃至５のいずれかに記載の構成において、前記記録用紙は、通帳又は登記簿を含む印字領域内に段差を有する記録用紙であることを特徴とする。
【００１４】
また、請求項７に記載の発明は、請求項１乃至６のいずれかに記載の構成において、前記用紙すくいにおける接触部の記録用紙側の面が、端部又は段部の高さが所定値以上の記録用紙が直接ガイドローラと接触したと仮定した場合における、当該記録用紙とガイドローラとの接触位置と、記録用紙面との角度よりも小さい角度で、当該記録用紙に接触するように位置していることを特徴とする。
【００１５】
また、請求項８に記載の発明は、プラテンに搬送された記録用紙に画像を記録する記録ヘッドを備える記録装置において、前記記録ヘッドは、この記録ヘッドと共に移動して前記記録用紙上を転動するガイドローラと、記録用紙の厚さが所定厚さ以上の場合、前記ガイドローラに先立って、当該記録用紙に接触する接触部を有する用紙すくいとを備え、この接触部の記録用紙側の面は、厚さが所定厚さ以上の記録用紙が前記用紙すくいに接触せずに、直接ガイドローラと接触したと想定した場合における、当該記録用紙とガイドローラとの接触角度よりも小さい角度で、当該記録用紙に接触するように形成されていることを特徴とする。
【００１６】
この構成によれば、端部又は段部の高さが所定値以上の記録用紙に記録する場合は、記録用紙がガイドローラに先立って用紙すくいに接触するので、高い段差を円滑に乗り越えることができ、また、端部又は段部の高さが所定値以下の記録用紙に記録する場合は、記録用紙が用紙すくいに接触せずにガイドローラだけに接触するので、高い段差を円滑に乗り越えることができ、かつ、非印字領域を小さくすることができる。
【００１７】
また、請求項９に記載の発明は、請求項８に記載の構成において、前記接触部の記録用紙側の面は、前記ガイドローラの径よりも大径の円弧に沿った面に形成されていることを特徴とする。
【００１８】
また、請求項１０に記載の発明は、請求項８に記載の構成において、前記接触部の記録用紙側の面は、前記ガイドローラから前記記録ヘッドの移動方向に離れるに従って、前記ガイドローラの径よりも徐々に大きい径の円弧に沿った面に形成されていることを特徴とする。
【００１９】
また、請求項１１に記載の発明は、請求項９又は１０に記載の構成において、前記用紙すくいは、前記ガイドローラの径よりも大径の円弧に沿って湾曲された略板形状に形成されていることを特徴とする。
【００２０】
また、請求項１２に記載の発明は、請求項８乃至１１のいずれかに記載の構成において、前記用紙すくいは、前記ガイドローラの一部を当該用紙すくいの記録用紙側の面よりも記録用紙側に突出させた位置に配置されていることを特徴とする。
【００２１】
また、請求項１３に記載の発明は、請求項８乃至１２のいずれかに記載の構成において、前記記録用紙は、通帳又は登記簿を含む印字領域内に段差を有する記録用紙であることを特徴とする。
【００２２】
また、請求項１４に記載の発明は、請求項８乃至１３のいずれかに記載の構成において、前記用紙すくいにおける接触部の記録用紙側の面が、端部又は段部の高さが所定値以上の記録用紙が直接ガイドローラと接触したと仮定した場合における、当該記録用紙とガイドローラとの接触位置と、記録用紙面との角度よりも小さい角度で、当該記録用紙に接触するように位置していることを特徴とする。
【００２３】
【発明の実施の形態】
以下、図面を参照して本発明の実施形態を詳述する。
【００２４】
図１は、磁気記録再生装置を備えたドットインパクトプリンタを示す全体斜視図、図２は、図１のプリンタを示す側断面図である。
【００２５】
図１及び図２に示す記録装置としてのプリンタ１０は、記録ヘッド１２の多数の記録ワイヤを、インクリボン（図示せず）を介して記録用紙に打ち付けてドットを記録することにより、文字を含む画像を記録するパスブック型のドットインパクトプリンタであり、磁気記録再生装置１１を装備している。
【００２６】
上記記録用紙は、通常、金融機関等で使用されている通帳、登記簿、複写紙、一枚紙、連続紙等であり、この通帳に貼着された磁気記録用紙としての磁気ストライプに、上記磁気記録再生装置１１が磁気情報を記録し、又は、この記録された磁気情報を読み取る。
【００２７】
プリンタ１０は、図１及び図２に示すように、左サイドフレーム１３、右サイドフレーム１４及びベースフレーム（不図示）を備えた本体フレームに、キャリッジ１５、記録ヘッド１２、搬送装置（フロントローラＦＲ、リアローラＲＲ）、上記磁気記録再生装置１１、及び制御装置としての制御基板部（不図示）を有して構成される。
【００２８】
上記搬送装置は、図２に示すように、フロントローラＦＲ、リアローラＲＲからなり、フロントローラＦＲは、上下一対の駆動ローラ１７Ａ及び従動ローラ１８Ａで構成され、リアローラＲＲは、同じく上下一対の駆動ローラ１７Ｂ及び従動ローラ１８Ｂで構成され、これらは記録ヘッド１２の両側に一組づつ配置され、これら二組の駆動ローラ１７及び従動ローラ１８が、搬送案内１９に載置された通帳等を挟持して、この通帳等を副走査方向（矢印Ａ方向）に搬送する。なお、従動ローラ１８は、駆動ローラ１７と同様に駆動ローラであってもよい。
【００２９】
リアローラＲＲの従動ローラ１８Ｂ側には、先端部２９Ａが記録ヘッド１２側に延出して、当該記録ヘッド１２を通過した、通帳などの記録用紙の先端を、リアローラＲＲに案内する案内部材２９が設けられている。
【００３０】
上記キャリッジ１５は記録ヘッド１２を搭載し、この記録ヘッド１２を、プラテン４９に沿って主走査方向（矢印Ａと直交する方向）右向きまたは左向きに走行させる。この主走査方向は、搬送装置による通帳等の搬送方向（副走査方向）と直交する方向である。
【００３１】
上記プラテン４９は、付勢ばね（図示せず）を用いて、記録ヘッド１２に対し接離する方向に移動自在に弾性支持される。これにより、記録ヘッド１２とプラテン４９との間に厚さの異なる通帳等が搬送された時に、プラテン４９が通帳等の厚さ方向で、記録ヘッド１２から離れる向きに移動して、記録ヘッド１２と通帳等の表面（印字面）との間に一定のプラテンギャップが確保される。
【００３２】
上記記録ヘッド１２は多数の記録ワイヤ（図示せず）を備え、これらの記録ワイヤの突出方向前方で、記録ヘッド１２とプラテン４９との間にインクリボン（図示せず）が位置する。この記録ヘッド１２は、キャリッジ１５と共に主走査方向に走行する間に、記録ワイヤを突出させてインクリボンに打ち当て、このインクリボンのインクを、記録ヘッド１２の下方に位置する通帳等に付着させて、この通帳等に文字を含む画像を記録する。
【００３３】
このドットインパクトプリンタ１０においては、例えば、通帳の見開き頁間に跨って画像を記録する場合がある。この場合、通帳は、見開いた状態で、例えば、通帳先端側からドットインパクトプリンタ１０に対し、矢印Ａ方向（図２）に挿入される。そして、通帳の見開き頁間に跨って画像を記録する場合、記録ヘッド１２は、見開き頁間の中央の段部（いわゆるセンターホールド）又は端部を乗り越えて走査される。これら段部、端部などの段差の乗り越えを円滑にするため、通帳上を転動するガイドローラ３１が記録ヘッド１２に設けられている。この構成のプリンタでは、通帳を挿入する場合、まず、記録ヘッド１２を支持するキャリッジ１５を走査して、記録ヘッド１２を通帳挿入領域から外れた位置に退避させておき、所定の位置まで通帳が挿入された後、当該キャリッジ１５を走査して、記録ヘッド１２による画像の記録を開始する。４５は通帳を整列させるシャッターである。
【００３４】
所定の位置まで通帳が挿入される場合、この通帳は、図２に示すフィルム３３を押し退けるようにして挿入される。従って、所定の位置では、通帳の上に当該フィルム３３が乗り、このフィルム３３の上を、段差の乗り越えを円滑にするための、上述したガイドローラ３１が転動する。これによれば、ガイドローラ３１は、フィルム３３を介して通帳の記帳面に接触するため、当該通帳の記帳面が凹んだり、或いは汚れることがない。
【００３５】
図３は、記録ヘッド１２を示す斜視図である。本実施形態の記録ヘッド１２には、通帳などの中央の折り返し部分や端部などの段差の乗り越えを円滑にするために、上述したガイドローラ３１に加えて、記録ヘッド１２の移動方向に延在する用紙すくい３２が設けられている。
【００３６】
図４（Ａ）は、記録ヘッド１２をキャリッジと反対側から見たときの図であり、図４（Ｂ）は、記録ヘッド１２の側面を示す図であり、図４（Ｃ）は、記録ヘッド１２をキャリッジ１５側から見たときの図である。
【００３７】
この記録ヘッド１２は、ノーズ２０と連結されたハウジング２１が、孔２１Ａを介してキャリッジ１５にねじ止めされることによってキャリッジ１５に搭載され、ノーズ２０の側面に、上述したガイドローラ３１と用紙すくい３２とが配置されている。
【００３８】
この用紙すくい３２は、略円弧状に湾曲された板状部材からなり、その両側の湾曲部（接触部）３２Ａが、ガイドローラ３１に対して記録ヘッド１２の移動方向（上記主走査方向と一致する方向（矢印Ｘ方向））の前後に延出するように配置されている。また、用紙すくい３２は、これら湾曲部３２Ａの基部側に切り欠き３２Ｂが設けられ、この切り欠き３２Ｂをガイドローラ３１に係合させて、ガイドローラ３１の下方の一部だけを記録用紙側に突出させる位置に固定されている。
【００３９】
図５は、この記録ヘッド１２と記録用紙Ｓの段差Ｓ１との関係を示す図である。上記ガイドローラ３１の用紙すくい３２から露出する範囲は、このガイドローラ３１によって容易に乗り越えられる高さの段差が接触する範囲に規定される。すなわち、ガイドローラ３１の段差の乗り越えの可否は、記録用紙Ｓの段差Ｓ１とガイドローラ３１との接触角度θによって決まるため、ガイドローラ３１は、接触角度θが、乗越容易な最大接触角度θｍａｘ（例えば、４５°）以下の段差Ｓ１が接触する周面だけが露出するようになされている。従って、ガイドローラ３１との接触角度θが上記最大接触角度θｍａｘ以上となるような高さの段差（後述する段差Ｓ２など）は、ガイドローラ３１に先だって用紙すくい３２の湾曲部３２Ａに接触するように構成されている。これにより、ガイドローラ３１によっては乗り越え難い段差の記録用紙は、用紙すくい３２によって乗り越えるので、高い段差を容易に乗り越えることが可能となる。
【００４０】
図６は、この記録ヘッド１２と、上記段差Ｓ１よりも高い段差Ｓ２を有する記録用紙Ｓとの関係を示す図である。同図に示すように、用紙すくい３２の湾曲部３２Ａは、ガイドローラ３１に直接接触したと想定すればその接触角度θが最大接触角度θｍａｘを超えてしまうような高さの段差Ｓ２が接触しても、その接触角度θが上記最大接触角度θｍａｘ以下となる形状に形成されている。具体的には、用紙すくい３２の湾曲部３２Ａは、ガイドローラ３１の径よりも大径の円弧に沿って湾曲される。これにより、この段差Ｓ２を直接ガイドローラ３１で乗り越える場合と比較して、用紙すくい３２で乗り越えた方がより容易に段差Ｓ２を乗り越えることが可能となる。
【００４１】
ところで、上述した、ガイドローラ３１の径よりも大径の円弧に沿った形状の用紙すくい３２で、仮に全ての高さの段差を乗り越えるとすると、記録ヘッド１２が記録用紙Ｓから離れて記録ワイヤによる記録ができなくなってしまう領域（非印字領域）ＡＲが大きくなってしまう。そこで、本実施形態では、上述したように、比較的低い段差については、ガイドローラ３１によって乗り越えるように構成しているため、図５に示すように、非印字領域ＡＲを小さくすることができる。
【００４２】
以上説明したように、本実施形態によれば、記録ヘッド１２に、ガイドローラ３１と、端部又は段部の高さが所定値以上の記録用紙がガイドローラ３１に先立って接触する用紙すくい３２とを設けることによって、ガイドローラ３１によっては乗り越え難い段差を容易に乗り越えることができる。さらに、この用紙すくい３２の記録用紙側の面を、端部又は段部の高さが所定値以上の記録用紙が直接ガイドローラ３１に接触したと仮定した場合における接触角度よりも小さい接触角度で、上記記録用紙に接触するように形成することにより、高い段差をより円滑に乗り越えることができ、かつ、非印字領域ＡＲを小さくすることが可能となる。この結果、本実施形態のプリンタ１０は、記録ヘッド１２が、通帳、登記簿などの中央の折り返し部分や端部などの段差を円滑に乗り越えることができ、印字ずれの少ない良好な記録を行うことができ、また、中央の折り返し部分に近接する位置から印字を行うことができる。
【００４３】
以上、本発明を上記実施の形態に基づいて説明したが、本発明はこれに限定されるものではない。例えば、図７に示すように、用紙すくい３２の湾曲部３２Ａの記録用紙Ｓ側の面が、ガイドローラ３１から離れるに従って、ガイドローラ３１の径よりも徐々に大径となる円弧に沿った面になるように形成してもよい。このようにすれば、用紙すくい３２の湾曲径が小さいほど、上記印字領域ＡＲを小さくすることができるため、印字領域ＡＲをより小さくすることが可能となる。この場合、図７に示すように、用紙すくい３２を複数の湾曲部材３２Ａ１、３２Ａ２で構成してもよいし、これらを一体的に形成したものであってもよい。
【００４４】
また、上述の実施形態では、用紙すくい３２を板形状に形成する場合についえて述べたが、板形状に限定されない。要は、湾曲部３２Ａの記録用紙側の面が、上記用紙すくい３２の記録用紙Ｓ側の面と同様の面、若しくは、この面を折れ線近似した面、又はこの面を直線近似した面であればよい。
【００４５】
また、本発明は、パスブック型ドットインパクトプリンタに限定されず、一般の記録装置に適用してもよいことは勿論である。
【００４６】
【発明の効果】
上述したように本発明によれば、高い段差を円滑に乗り越えることができ、かつ、段差の乗り越え時に生じる非印字領域を小さくすることができる。
【図面の簡単な説明】
【図１】磁気記録再生装置を備えたドットインパクトプリンタを示す全体斜視図である。
【図２】同プリンタの側断面図である。
【図３】同プリンタの記録ヘッドを示す斜視図である。
【図４】（Ａ）は同記録ヘッドをキャリッジと反対側から見たときの図であり、（Ｂ）は同記録ヘッドの側面を示す図であり、（Ｃ）は同記録ヘッドをキャリッジ側から見たときの図である。
【図５】同記録ヘッドと記録用紙の段差との関係を示す図である。
【図６】同記録ヘッドと記録用紙の段差との関係を示す図である。
【図７】同記録ヘッドの変形例を説明するための図である。
【図８】従来の記録ヘッドを説明するための図である。
【図９】従来の記録ヘッドを説明するための図である。
【符号の説明】
１、１２  記録ヘッド
２、３１  ガイドローラ
１０  プリンタ（記録装置）
１１  磁気記録再生装置
１２  記録ヘッド
１５  キャリッジ
２０  ノーズ
２１  ハウジング
３２  用紙すくい
３２Ａ  湾曲部（接触部）
３２Ａ１、３２Ａ２  湾曲部材
４９  プラテン
【図１】
2004338155.tif 000003
【図２】
2004338155.tif 000004
【図３】
2004338155.tif 000005
【図４】
2004338155.tif 000006
【図５】
2004338155.tif 000007
【図６】
2004338155.tif 000008
【図７】
2004338155.tif 000009
【図８】
2004338155.tif 000010
【図９】
2004338155.tif 000011